(57)【要約】【課題】持ち運びが容易で携帯性に優れ、軽量、且つ小容積で組み立ておよび折り畳みしやすく、使用時の強度が高く安定性があり、そして、安価な携帯用正座椅子を提供する。【解決手段】段ボール板紙により形成され、方形の四周側面板と、底面板と、上面板とからなる略正方形の箱体であって、四周の側面板の対向する二側面板は内方へ向って折り畳み自在なヒダ部を有し、底面板は上方へ向って折り畳み自在な折り曲げ部を有し、上面板は上方向へ向かって二つ折り自在な折り曲げ線を有し、内部に山形状に二つ折りされた補強板が収納され、該補強板の上端で平坦な状態にある上面板の下面を支持し得るようにしたことを特徴とする携帯用正座椅子。【選択図】　　　　図９
2004089422.tif 000002
【特許請求の範囲】
【請求項１】
段ボール板紙により形成され、方形の四周側面板と、底面板と、上面板とからなる略正方形の箱体であって、四周の側面板の対向する二側面板は内方へ向って折り畳み自在なヒダ部を有し、底面板は上方へ向って折り畳み自在な折り曲げ部を有し、上面板は上方向へ向かって二つ折り自在な折り曲げ線を有し、内部に山形状に二つ折りされた補強板が収納され、該補強板の上端で平坦な状態にある上面板の下面を支持し得るようにしたことを特徴とする携帯用正座椅子。
【請求項２】
前記二側面板と前記底面板は、二側面板に形成したヒダ部と、底面板と二側面板との間に形成した切り欠き孔から二つに折り畳まれ、ヒダ部を谷に箱内方に折り曲げた時にその折り曲げられた二側面板と、底面板のせり部をそれぞれ前記切り欠き孔内に互いに折り畳み差し込むようにしたことを特徴とする請求項１記載の携帯用正座椅子。
【請求項３】
前記切り欠き孔は、箱体を折り曲げた時に前記側面板と前記底面板のせり部を逃がすために形成した開放孔であることを特徴とする請求項１および２記載の携帯用正座椅子。
【請求項４】
前記ヒダ部は二側面板と前記底面板との折り曲げ線の中心点に円形状の切り欠き孔を形成し、該切り欠き孔の中心を頂点とした三角形がその二辺を描くように上方へ延びると共に前記中心点から垂線を描くように上方へ延びた破線状に切り込みの入った折り曲げ線であることを特徴とする請求項１および２記載の携帯用正座椅子。
【請求項５】
前記底面板には破線状に切り込みの入った折り曲げ線を対角線上に形成し、前記開放孔間の中心線上に複数の円形状の切り欠き孔を等間隔に形成し、該孔間にそれぞれ切断線を形成し、前記二側面板上に形成した垂線上のヒダ部をそれぞれ谷にし箱内方へ折り曲げられると共に、二辺状のヒダ部も内方へ曲げつつその曲げられた箇所に作出された略三角形状からなる折曲片を形成し、該折曲片の先端部が前記二つ折りされた補強板間内に挿入されると共に底面板の中心部が対角線上の切り込み線から内方へせり上げられるように、底面板の略中心部が内方へせり上がるようにして二つ折りされるようにしたことを特徴とする請求項１〜４記載の携帯用正座椅子。
【請求項６】
前記二側面上であって、少なくとも前記ヒダ部の外側近傍において、高さ方向の辺と略並行な位置に破線状の切り込み線で区切られて作出され、ヒダ部が内方に折り曲げやすいようにした折曲面を形成したことを特徴とする請求項１〜５記載の携帯用正座椅子。
【請求項７】
前記底面板の支持は、前記折曲面を形成した破線状の切り込み線が、前記底面板へそれぞれ折れ線として延長され、該底面板の両側の近傍に略長方形状の幅を有した面を形成し、該面で支持するようにしたことを特徴とする請求項１記載の携帯用正座椅子。
【請求項８】
少なくとも対向する二つの側面板のうち折り畳みヒダ部が形成されていない側面板は、他の側面板から折り返し形成された二重の側壁になり、該二重の側壁と前記底面板との合わせ部に前記補強板の底辺を当接して、上面板からの圧力に対し裾広がりの変形を防止するようにしたことを特徴とする請求項１および７記載の携帯用正座椅子。
【請求項９】
前記補強板はその両側面が台形状をなし、該台形状の短い辺どうしを面で連ねた天板を形成し、他方を前記底面板の辺長と略同じ長さに形成しハの字状に二つ折りして箱体の内部に収納し、天板を前記上面板の下面に突き当てて常に天板が箱体の略中心に位置させるようにしたことを特徴とする請求項１、７および８記載の携帯用正座椅子。
【請求項１０】
前記各二重の側壁に対し一方の上面板で各二重の側壁の上部切断面を覆い被せて係止し、他方の上面板で前記一方の上面板の上を沿うようにしつつ一方の上面板を形成した側面板に係止して、それぞれの切断面を保護すると同時に上面板からの圧力に対し折り畳みヒダ部が形成されてない側面板がそれぞれ外側方向に広がるのを防止するようにしたことを特徴とする請求項１記載の携帯用正座椅子。
【請求項１１】
前記破線状の切り込み線は、折り曲げ線上にあって、該折り曲げ線の両端より内側に等間隔に形成され、折り曲げ線から折れやすく且つその破断面が開いて折れ曲がった箇所が弱くなるのを防止するようにしたことを特徴とする請求項１〜１０のいずれかに記載の携帯用正座椅子。
【請求項１２】
前記箱体の開口を塞いだ上面板の上にウレタン樹脂板を貼付し尻当てにしたことを特徴とする請求項１記載の携帯用正座椅子。
【請求項１３】
本体を平たく折り畳んだ状態で収納して携帯できる携帯用の袋が付属し、いつでも簡単に収納し携帯し得るようにしたことを特徴とする請求項１記載の携帯用正座椅子。
【請求項１４】
展開状態において両端にそれぞれ第１および第２の係止用舌片を備え、端から一方向に第１〜第８の面から構成され、且つ該面第１〜第８の両側並行に沿ってそれぞれ面第９〜第１３と第１４〜第１８のから構成され、前記第４の面は全体の面の略中心に位置し、前記一方向と直行した外側方向にそれぞれ面第１１および第１６が接続され、該面第１１および第１６のその両側には連続された面第９〜第１３と第１４〜第１８から構成され、組立状態においては、前記面第９〜第１３の列と、前記面第１４〜第１８とで前記底板第４を周囲する側板を構成し、面第９と１０をそれぞれ内方へ折り曲げてその間を接着し、該折り曲げた面第１０の裏面と、面第１４と１５をそれぞれ内方へ折り曲げてその間を接着し、該折り曲げた面第１５の裏面とを面第３の内面にそれぞれ接着し、第１２と１３をそれぞれ内方へ折り曲げてその間を接着し、該折り曲げた第１２の裏面と、第１７と１８をそれぞれ内方へ折り曲げてその間を接着し、該折り曲げた第１７の裏面とを第５の内面にそれぞれ面第４を周囲するように接着し、該周囲の上方から面第１および第２で上蓋すると共に、対向する周囲内に前記第１の係止用舌片で係止し、該上蓋の上からさらに面第６、７および８の上を沿うように重ね合わせつつ、面第８に備えた前記第２の係止用舌片で面第３の裏面から、切り欠き窓３４内に挿入し係止することを特徴とする携帯用正座椅子。
【請求項１５】
前記面第４および第１１と第１６の一部に折り曲げやすいように円孔を設けたことを特徴とする請求項１４に記載の携帯用正座椅子。
【請求項１６】
前記面第１１および第１６にヒダ部を設けたことを特徴とする請求項１４〜１５記載の携帯用正座椅子。
【請求項１７】
前記面第３に切り欠き形成した窓孔を設けたことを特徴とする請求項１４記載の携帯用正座椅子。
【発明の詳細な説明】
【０００１】
【発明の属する技術分野】
【従来の技術】
長時間正座をしていても足がしびれ難い、正座用補助椅子が市販されている。これらの椅子は座高が１０ｃｍ前後で、ちょうど正座をしたときに尻の約半分位を載せる小さな座を有した椅子である。そして、使用者が持ち運びに便利なように足の部分を折り畳みにしたものが市販されているが、この種の正座椅子は使用時の強度が高く、且つ安定性がある等の条件が要求される。
【０００２】
【発明が解決しようとする課題】
しかしながら、これらの従来の携帯用正座椅子において、例えば、実登３０６０２３７号には、軽量で丈夫な硬いダンボ−ル紙を使ったものが考案されているが、荷重を安定に支えるのに充分な強度を得るためには、面ファスナーやマチ布等を使用せざるを得なく組立および折り畳みに時間がかかっていた。また、このように部品点数が多く複雑な構造のものとなっていたので、コスト高となる欠点があった。
【０００３】
本発明は以上のような従来品の欠点を除き、持ち運びが容易で携帯性に優れ、軽量且つ小容積で、組み立て及び折り畳みやすく、使用時の強度が高く安定性があり、そして安価に提供することを目的とするものである。
【０００４】
【問題を解決するための手段】
上記問題を解決するためにこの発明が採った手段は、段ボール板紙により形成され、方形の四周側面板と、底面板と、上面板とからなる略正方形の箱体であって、四周の側面板の対向する二側面板は内方へ向って折り畳み自在なヒダ部を有し、底面板は上方へ向って折り畳み自在な折り曲げ部を有し、上面板は上方向へ向かって二つ折り自在な折り曲げ線を有し、内部に山形状に二つ折りされた補強板が収納され、該補強板の上端で平坦な状態にある上面板の下面を支持し得るようにしたことを特徴とする。
【０００５】
前記二側面板と前記底面板は、二側面板に形成したヒダ部と、底面板と二側面板との間に形成した切り欠き孔から二つに折り畳まれ、ヒダ部を谷に箱内方に折り曲げた時にその折り曲げられた二側面板と、底面板のせり部をそれぞれ前記切り欠き孔内に互いに折り畳み差し込むようにしたことを特徴とする。
【０００６】
前記切り欠き孔は、箱体を折り曲げた時に前記側面板と前記底面板のせり部を逃がすために形成した開放孔であることを特徴とする。
【０００７】
前記ヒダ部は二側面板と前記底面板との折り曲げ線の中心点に円形状の切り欠き孔を形成し、該切り欠き孔の中心を頂点とした三角形がその二辺を描くように上方へ延びると共に前記中心点から垂線を描くように上方へ延びた破線状に切り込みの入った折り曲げ線であることを特徴とする。
【０００８】
前記底面板には破線状に切り込みの入った折り曲げ線を対角線上に形成し、前記開放孔間の中心線上に複数の円形状の切り欠き孔を等間隔に形成し、該孔間にそれぞれ切断線を形成し、前記二側面板上に形成した垂線上のヒダ部をそれぞれ谷にし箱内方へ折り曲げられると共に、二辺状のヒダ部も内方へ曲げつつその曲げられた箇所に作出された略三角形状からなる折曲片を形成し、該折曲片の先端部が前記二つ折りされた補強板間内に挿入されると共に底面板の中心部が対角線上の切り込み線から内方へせり上げられるように、底面板の略中心部が内方へせり上がるようにして二つ折りされるようにしたことを特徴とする。
【０００９】
前記二側面上であって、少なくとも前記ヒダ部の外側近傍において、高さ方向の辺と略並行な位置に破線状の切り込み線で区切られて作出され、ヒダ部が内方に折り曲げやすいようにした折曲面を形成したことを特徴とする。
【００１０】
前記底面板の支持は、前記折曲面を形成した破線状の切り込み線が、前記底面板へそれぞれ折れ線として延長され、該底面板の両側の近傍に略長方形状の幅を有した面を形成し、該面で支持するようにしたことを特徴とする。
【００１１】
少なくとも対向する二つの側面板のうち折り畳みヒダ部が形成されていない側面板は、他の側面板から折り返し形成された二重の側壁になり、該二重の側壁と前記底面板との合わせ部に前記補強板の底辺を当接して、上面板からの圧力に対し裾広がりの変形を防止するようにしたことを特徴とする。
【００１２】
前記補強板はその両側面が台形状をなし、該台形状の短い辺どうしを面で連ねた天板を形成し、他方を前記底面板の辺長と略同じ長さに形成しハの字状に二つ折りして箱体の内部に収納し、天板を前記上面板の下面に突き当てて常に天板が箱体の略中心に位置させるようにしたことを特徴とする。
【００１３】
前記各二重の側壁に対し一方の上面板で各二重の側壁の上部切断面を覆い被せて係止し、他方の上面板で前記一方の上面板の上を沿うようにしつつ一方の上面板を形成した側面板に係止して、それぞれの切断面を保護すると同時に上面板からの圧力に対し折り畳みヒダ部が形成されてない側面板がそれぞれ外側方向に広がるのを防止するようにしたことを特徴とする。
【００１４】
前記破線状の切り込み線は、折り曲げ線上にあって、該折り曲げ線の両端より内側に等間隔に形成され、折り曲げ線から折れやすく且つその破断面が開いて折れ曲がった箇所が弱くなるのを防止するようにしたことを特徴とする。
【００１５】
前記箱体の開口を塞いだ上面板の上にウレタン樹脂板を貼付し尻当てにしたことを特徴とする。
【００１６】
本体を平たく折り畳んだ状態で収納して携帯できる携帯用の袋が付属し、収納し自由に携帯し得るようにしたことを特徴とする。
【００１７】
展開状態において両端にそれぞれ第１および第２の係止用舌片を備え、端から一方向に第１〜第８の面から構成され、且つ該面第１〜第８の両側並行に沿ってそれぞれ面第９〜第１３と第１４〜第１８のから構成され、前記第４の面は全体の面の略中心に位置し、前記一方向と直行した外側方向にそれぞれ面第１１および第１６が接続され、該面第１１および第１６のその両側には連続された面第９〜第１３と第１４〜第１８から構成され、組立状態においては、前記面第９〜第１３の列と、前記面第１４〜第１８とで前記底板第４を周囲する側板を構成し、面第９と１０をそれぞれ内方へ折り曲げてその間を接着し、該折り曲げた面第１０の裏面と、面第１４と１５をそれぞれ内方へ折り曲げてその間を接着し、該折り曲げた面第１５の裏面とを面第３の内面にそれぞれ接着し、第１２と１３をそれぞれ内方へ折り曲げてその間を接着し、該折り曲げた第１２の裏面と、第１７と１８をそれぞれ内方へ折り曲げてその間を接着し、該折り曲げた第１７の裏面とを第５の内面にそれぞれ面第４を周囲するように接着し、該周囲の上方から面第１および第２で上蓋すると共に、対向する周囲内に前記第１の係止用舌片で係止し、該上蓋の上からさらに面第６、７および８の上を沿うように重ね合わせつつ、面第８に備えた前記第２の係止用舌片で面第３の裏面から、切り欠き窓３４内に挿入し係止することを特徴とする。
【００１８】
前記面第４および第１１と第１６の一部に折り曲げやすいように円孔を設けたことを特徴とする。
【００１９】
前記面第１１および第１６にヒダ部を設けたことを特徴とする。
【００２０】
前記面第３に切り欠き形成した窓孔を設けたことを特徴とする。
【００２１】
【発明の実施の形態】
この発明の好ましい実施の形態を、以下に説明する。この発明の正座椅子は、段ボール板紙により形成され、方形の四周側面板と、底面板と、上面板とからなる略正方形の箱体に構成し、現場における組立および設置を容易に行い得るようにし、四周の側面板の対向する二側面板は内方へ向って折り畳み自在なヒダ部を有し、底面板は上方へ向って折り畳み自在な折り曲げ部を有し、上面板は上方向へ向かって二つ折り自在な折り曲げ線を有し、内部に山形状に二つ折りされた補強板が収納され、該補強板の上端で平坦な状態にある上面板の下面を支持し得るようにしたので二つに折り畳みができるという構造になっている。
【００２２】
前記二側面板と前記底面板は、二側面板に形成したヒダ部と、底面板と二側面板との間に形成した切り欠き孔から二つに折り畳まれ、ヒダ部を谷に箱内方に折り曲げた時にその折り曲げられた二側面板と、底面板のせり部をそれぞれ前記切り欠き孔内に互いに折り畳み差し込むようにした構造になっている。
【００２３】
前記切り欠き孔は、箱体を折り曲げた時に前記側面板と前記底面板のせり部を逃がすために形成した開放孔である構造になっている。
【００２４】
前記ヒダ部は二側面板と前記底面板との折り曲げ線の中心点に円形状の切り欠き孔を形成し、該切り欠き孔の中心を頂点とした三角形がその二辺を描くように上方へ延びると共に前記中心点から垂線を描くように上方へ延びた破線状に切り込みの入った折り曲げ線である構造になっている。
【００２５】
前記底面板には破線状に切り込みの入った折り曲げ線を対角線上に形成し、前記開放孔間の中心線上に複数の円形状の切り欠き孔を等間隔に形成し、該孔間にそれぞれ切断線を形成し、前記二側面板上に形成した垂線上のヒダ部をそれぞれ谷にし箱内方へ折り曲げられると共に、二辺状のヒダ部も内方へ曲げつつその曲げられた箇所に作出された略三角形状からなる折曲片を形成し、該折曲片の先端部が前記二つ折りされた補強板間内に挿入されると共に底面板の中心部が対角線上の切り込み線から内方へせり上げられるように、底面板の略中心部が内方へせり上がるようにして二つ折りされるようにした構造になっている。
【００２６】
前記二側面上であって、少なくとも前記ヒダ部の外側近傍において、高さ方向の辺と略並行な位置に破線状の切り込み線で区切られて作出され、ヒダ部が内方に折り曲げやすい構造になっている。
【００２７】
前記底面板の支持は、前記折曲面を形成した破線状の切り込み線が、前記底面板へそれぞれ折れ線として延長され、該底面板の両側の近傍に略長方形状の幅を有した面を形成し、該面で支持するようにした構造になっている。
【００２８】
少なくとも対向する二つの側面板のうち折り畳みヒダ部が形成されていない側面板は、他の側面板から折り返し形成された二重の側壁になり、該二重の側壁と前記底面板との合わせ部に前記補強板の底辺を当接して、上面板からの圧力に対し裾広がりの変形を防止するような構造になっている。
【００２９】
前記補強板はその両側面が台形状をなし、該台形状の短い辺どうしを面で連ねた天板を形成し、他方を前記底面板の辺長と略同じ長さに形成しハの字状に二つ折りして箱体の内部に収納し、天板を前記上面板の下面に突き当てて常に天板が箱体の略中心に位置させるようにした構造になっている。
【００３０】
前記各二重の側壁に対し一方の上面板で各二重の側壁の上部切断面を覆い被せて係止し、他方の上面板で前記一方の上面板の上を沿うようにしつつ一方の上面板を形成した側面板に係止して、それぞれの切断面を保護すると同時に上面板からの圧力に対し折り畳みヒダ部が形成されてない側面板がそれぞれ外側方向に広がるのを防止するようにした構造になっている。
【００３１】
前記破線状の切り込み線は、折り曲げ線上にあって、該折り曲げ線の両端より内側に等間隔に形成され、折り曲げ線から折れやすく且つその破断面が開いて折れ曲がった箇所が弱くなるのを防止するようにした構造になっている。
【００３２】
前記箱体の開口を塞いだ上面板の上にウレタン樹脂板を貼付し尻当てにした構造になっている。
【００３３】
本体を平たく折り畳んだ状態で収納して携帯できる携帯用の袋が付属し、いつでも簡単に収納し携帯し得るようにした構造になっている。
【００３４】
【実施例】
この発明の一実施例を、以下に図面を参照しながら説明すると、図１は本発明の実施例における携帯用正座椅子の展開平面図、図２は本発明の実施例による組立状態を示した図、図３は箱体の組立状態を上方から見た図、図４は箱体の組立状態を側面方向から見た図である。
【００３５】
そして、図５は図３および図４の箱体に補強板を内設し、その上方から側面板を内方へ向かって折り畳むように組立状態を示した図、図６は箱体の二重の側壁の上端部分に作出された係止部に上蓋係止片を挿入する説明図、図７は側面部係止窓に上蓋に形成した係止片を挿入する図、図８は説明のために補強板を取り除いた図であって、側面板および底面板の組立時の動きを説明した図である。そして、図９〜図１１は組立完成後の状態を斜視図で示したものである。
【００３６】
この図１において、段ボール板紙５は約３ｍｍ程度の厚さを有し一般的にＢフルートと呼ばれている段ボール板紙定尺を７８０×３５０ｍｍ程度の大きさの長方形状に裁断型抜きしたものであり、最終的にこの携帯用正座椅子の完成状態の形状は、全体が略正方形の全６面体からなる箱体になる。
【００３７】
本発明である携帯用正座椅子の特徴としては、箱体自体が平たく折り畳んだ状態になることにありそのための構成としては、まず、側面板にヒダ部を形成した構造にしたことと、そのヒダ部から内方向に折り曲げた時にその折り曲げられた側面板と、折り曲げた底面板のせりを逃がすための切り欠き孔を底面板と、側面板との間に形成したことにある。
【００３８】
そこで、ヒダ部を有した二側面板と、この二側面板の折れ曲がりの影響を受けてその中心部が内方へ折れ曲がる底面板の構成を説明すると、図１〜図３において、まず二側面板はそれぞれ連続した面２０（１）〜２０（４）と２５（１）〜２５（４）と、その外側にそれぞれ破線状の切り込み線ｃ、ｄと切断線イ、ホとからなる四角形状板２０（１）’と、破線状の切り込み線ｈ、ｉと切断線ニ、ヘとからなる四角形状板２０（４）’と、破線状の切り込み線ｎ、ｏと切断辺ロ、トとからなる四角形状板２５（１）’と、破線状の切り込み線ｓ、ｔと切断線ハ、チとからなる四角形状板２５（４）’とが連なって形成されている。
【００３９】
そして、面２０（２）、２０（３）と面２５（２）、２５（３）はそれぞれ略三角形状をなして形成され、面２０（１）、２０（４）と面２５（１）、２５（４）の下辺にはそれぞれ折り曲げ線Ｖ、Ｗと折り曲げ線Ｘ、Ｙが形成されており、線Ｖ、Ｗと線Ｘ、Ｙのそれぞれの中心点には円形状の切り欠き孔３０、３３が形成されている。
【００４０】
また、ヒダ部は上述した二側面板上に、切り欠き孔３０および３３の中心点を頂点とした略三角形が描くその二辺、つまり、線ｅ、ｇおよび線ｐ、ｒは外方へ延びるように形成されている。また、それぞれ前記頂点から垂線が描いた線ｆおよびｑは外方向へ延びるように形成されている。そしてこのようにして形成された線ｅ、ｆ、ｇおよびｐ、ｑ、ｒにおいては、破線状に切り込み線を入れて折れ曲がりやすいように形成してある。
【００４１】
次に底面板の構成を説明をすると、底面板は面１４（１）〜１４（６）の６つの面が連なって形成されており、その周囲には折り曲げ線Ｆ、Ｇ、Ｖ、Ｗ、Ｘ、Ｙがそれぞれ形成されており、折り曲げ線Ｆの外側にはその線に対して並行に折り曲げ線Ｅが、折り曲げ線Ｇの外側にはその線に対して折り曲げ線Ｈがそれぞれ形成され、これらの折り曲げ線Ｅ、Ｆとその両端の切断線イ、ロとで囲まれた面１４（１）’を形成し、折り曲げ線Ｇ、Ｈとその両端の切断線ニ、ハとで囲まれた面１４（２）’を形成する。そして、それぞれ形成された面１４（１）’と１４（２）’は側面板１３および１５に接続されている。
【００４２】
そして、上述した底面板にはさらに切り欠き孔３０および３３の中心間を結ぶ直線上に２つの切り欠き孔３１および３２が等間隔に並んで形成されており、切り欠き孔３１の中心点と、折り曲げ線ＦとＶとの交わり点と、折り曲げ線ＧとＷとの交わり点との間にそれぞれ破線状の切り込み線ＲおよびＳが形成されてある。
【００４３】
また、同様に、切り欠き孔３２の中心点と、折り曲げ線ＦとＸとの交わり点と、折り曲げ線ＧとＹとの交わり点との間にそれぞれ破線状の切り込み線ＴおよびＵが形成されてある。
【００４４】
そしてまたさらに、切り欠き孔３０と３１の中心点との間は、切断線Ｌで切断されており、同様に切り欠き孔３２と３３の中心点との間も、切断線Ｍで切断されている。そして、切り欠き孔３１の中心点と切り欠き孔３２の中心点との間は折れ曲げ線Ｚで形成されている。
【００４５】
次に、上面板を形成する側面板の構成を説明すると、側面板１３にはその外方向に面１２（２）、１２（１）と面１１が連なっており、これらの面との間にはそれぞれ折り曲げ線Ｄ、Ｃ、Ｂが形成されており、面１１の折り曲げ線の反対辺Ａには係止片１０が形成されている。
【００４６】
そしてまた、側面板１５にはその外方向に面１６（１）と１６（２）とが連なっており、これらの面との間にはそれぞれ折り曲げ線Ｉ、Ｊが形成されており、面１６（２）の折り曲げ線Ｊの反対辺Ｋには、中心にスリット３５を有し、その両側に係止片１７（１）および１７（２）が形成されている。また、面１３および１２（２）の両側にはそれぞれ切断線ＮおよびＰが形成されており、同様に面１５および１６（１）の両側にもそれぞれ切断線ＯおよびＱが形成されている。
【００４７】
次に、ヒダ部を有した二側面板から接続された側面板に二重の側壁を形成する構成を説明する。
【００４８】
ここで二重の側壁を構成する面は、まず、二側面に形成してある破線状の切り込み線ｃおよびｉに面１９、１８および面２１、２２がそれぞれ接続されており、面１８と１９との間には、破線状の切り込み線ａおよびｂが略段ボール板紙分の幅で形成され、その上辺部をヌとした面１８’が形成され、面１９の上辺部には切り欠き部４０が形成されている。そして、もう一方の面２１と２２との間には、破線状の切り込み線ｊおよびｋが略段ボール板紙分の幅で形成され、面２１の下辺部には切り欠き部４３が形成されていて、破線状の切り込み線ｊおよびｋ間に面２７’を形成している。
【００４９】
そしてまた、上述した二重の側壁に対向する他の二側面に形成してある折り曲げ線ｎおよびｔに面２４、２３および面２６、２７がそれぞれ接続されており、面２４と２３との間には、破線状の切り込み線ｍおよびｌが略段ボール板紙分の幅で形成され、その下辺部をリとした面２３’が形成され、面２４の下辺部には切り欠き部４１が形成されている。そして、もう一方の面２６と２７との間には、破線状の切り込み線ｕおよびｖが略段ボール板紙分の幅で形成され、面２６の上辺部には切り欠き部４２が形成されていて、破線状の切り込み線ｕおよびｖ間に面２５（４）’を形成している。
【００５０】
次に、ヒダ部を有した二側面板と、この二側面板の折れ曲がりの影響を受けてその中心部が内方へ折れ曲がる底面板の動作を説明する。
【００５１】
上述した底面板の動作説明に先立ちまず、本発明である携帯用正座椅子の構成上この箱体内に収納される補強板の説明をさせて戴くと、図１２において補強板２は、前述した箱体を形成してるＢフロートの段ボール板紙よりも強度を向上させたＡＢフロートと呼ばれている二重構造で約８ｍｍ程度の板厚を有した段ボール板紙を使用し加工する。そして、このようなＡＢフロートの段ボール板紙で形成された補強板２は、その略中心部において折り線ｗおよびｘからなる四角形状の小さな面を有しており、その外方両側にはそれぞれ略同形の台形状の面２（１）および２（２）が接続形成されている。また、この台形状の面２（１）および２（２）の両外側の辺ｗ’およびＸ’は、略中央部に形成した折り線ｗおよびｘの長さよりもそれぞれ長く且つ箱体内に収納する内寸法に対応した長さ以下の長さに設定されている。そして、台形状の面２（１）および２（２）は、その内側に形成されている折り線ｗおよびｘを山の背にしてハの字状に二つ折りにされている。
【００５２】
従って、このようにして二つ折りにされた補強板２には、図１３に示したようにその上端に平担な面からなる天板２（３）が形成されることになる。そして、この二つ折りされた補強板２は、天板２（３）を上方向に、台形上の長辺をそれぞれ下方向になるように箱体内に収納されることで、台形上の長辺ｗ’およびｘ’は常に箱体内に沿って設置されるようになるので、天板２（３）は常に箱体の略中心に位置されるように設けられる。
【００５３】
次に、さらに図４〜図８を参照しながら二側面板と底面板の動きを説明する。
【００５４】
まず最初にこの箱体を構成する底面板の四周に側壁を形成する組立方法は図２に示したように折り曲げ線ＶおよびＷと、折り曲げ線ＸおよびＹとをそれぞれ谷にし折り曲げるようにする。
【００５５】
この折り曲げの際に面１９は破線状の切り込み線ｃを谷にして内側に折り曲げられ、さらに、その面１９に接続されている面１８は、面１８’の両側に形成されている破断線状の切り込み線ａおよびｂを谷にして内側に二つ折りされながら内方に折り曲げられる。同様に、面２１は破線状の切り込み線ｉを谷にして内側に折り曲げられ、さらに、その面２１に接続されている面２２は、面２１’の両側に形成されている破断線状の切り込み線ｊおよびｋを谷にして内側に二つ折りされながら内方に折り曲げられる。
【００５６】
そしてまた、面２４は破線状の切り込み線ｎを谷にして内側に折り曲げられ、さらに、その面２４に接続されている面２３は、面２３’の両側に形成されている破断線状の切り込み線ｌおよびｍを谷にして内側に二つ折りされながら内方に折り曲げられる。同様に、面２６は破線状の切り込み線ｔを谷にして内側に折り曲げられ、さらに、その面２６に接続されている面２７は、面２７’の両側に形成されている破断線状の切り込み線ｕおよびｖを谷にして内側に二つ折りされながら内方に折り曲げられる。
【００５７】
次に、ホットメルト等の接着剤を使用して上述した面１９および１８と、面２１および２２と、面２４および２３と、面２６および２７とをそれぞれ内方へ折り曲げ、そしてその折り曲げた間を接着すると共に、図１で示した面１９、２１、２４および２６の裏面にも接着剤を塗布し、折り曲げ線ＥおよびＨを基準にそれぞれ折り曲げられた面１３および１５の内側面にそれぞれ接着される。
【００５８】
そのように接着することで、図３に示したように上から見た場合にちょうど略正方形の周囲を取り囲んだ側壁が形成されることになる。そして、面１３からなる側壁の内側には、面１９および面１８と、面２４と面２３とが面１３の内側の略中間で二つ折りになり面１８’と面２３’とが互いに突き合わされるようにしながら接着されて二重の側壁が形成されるようになる。そしてまた、このようにして形成した二重の側壁に対向する他方の側壁にも同様に面２１および面２２と、面２６と面２７とが面１５の内側の略中間で二つ折りになり面２１’と面２７’とが互いに突き合わされるようにしながら接着されて二重の側壁を形成されるようになる。
【００５９】
このようにして形成された二重の側壁の、面１８’および２３’の突き合わせた部分には、それぞれ段ボール板紙の二倍分の厚さの仕切り部が作出されることになる。また、同様に、面２１’および２７’の突き合わせた部分にも、それぞれ段ボール板紙分の厚さの二倍分の厚さの仕切り部が作出されることになる。
【００６０】
従って、このようにして形成された面１３側の二重の側壁の内側略中心には、段ボール板紙の板厚分の二倍分の厚さで仕切られ、その仕切りの両側にはそれぞれ切り欠き４０と４１とからなる空間部が作出され、同様にまた、その反対側の面１５側の二重の側壁の内側略中心には、段ボール板紙の板厚分の二倍分の厚さの仕切られ、その仕切りの両側にはそれぞれ切り欠き４３と４２とからなる空間部が作出される。
【００６１】
そのようにして切り欠き４０および４１で作出された空間部は、側面１３の上端部にその開口を上方にして形成されていて、切り欠き４３および４２で作出された空間部は、側面１５の下端部に開口を下方にして形成されている。そして、切り欠き４３および４２で作出された空間部は、面１５に形成した切り欠き窓３４に対応するような位置にその内部が袋状に形成されている。
【００６２】
また、切り欠き４０および４２で作出された空間部は、面１３の内側と面１９の裏面との間に作出されたものであり、この空間部には後述する係止片１７（１）および１７（２）が挿入され係止されるようになる。
【００６３】
次に、図４において、例えばヒダ部が形成されている二側面のうち、面２５（１）’、２５（１）、２５（２）、２５（３）、２５（４）、２５（４）’で形成する一方の側面図において説明を続けると、ヒダ部を形成している破線状の切り込み線ｐ、ｑ、ｒは、切り欠き孔３３を中心に線ｑを上方へ形成し、また、切り欠き孔３３を中心にしてその両側に、線ｐ、ｒを上方に広がるように形成されている。そして、面２５（１）’および面２５（４）’の下部底辺ロおよびハは切断された切断線で形成されている。そして、その二側面の両側に形成されている線ｎおよびｏと線ｓおよびｔとは、それぞれ破線状の切り込み線で形成されている。また、その反対側の側面についても全く同様な構造のために同様に形成されているのでその説明を省略する。
【００６４】
従って、このような状態に形成された箱体においては、例えば、図３においてその箱体の両側から両手でそれぞれ内側方向へ圧力をかけると、図８に示したように線ｑが箱体の内方へ入り込むように動き、その動きにつれてその両側に形成されている略三角形状の面２５（２）および２５（３）も、その箱体の内方へ引っ張られるように折れ曲がることになる。また同様に、その反対側の側面についても全く同様な構造のために同様の動きになるのでその説明を省略する。
【００６５】
そして、図４において面１２（１）および１２（２）の下には、面１２（１）および面１２（２）の外形状に合わせて加工された、軟らかい材質からなる尻当てに適当な厚み有したウレタン樹脂３、３等が貼り付けられてある。
【００６６】
そして、次にこの箱体の上部開口を塞ぐように、上蓋をする動作および上蓋の係止状態を図５〜図７において説明する。
【００６７】
まず、箱体の内部に図１３で説明した補強板２を収納し、次に図５に示したように、面１６（１）および１６（２）を内側に折り曲げるようにしながら倒し、その時に面１６（２）の先端にある係止片１７（１）および１７（２）を、その対向した側に形成した空間部４０および４１に挿入し係止する。その係止する際は、係止片１７（１）と１７（２）との間に形成されたスリット３５が、空間部４０および４１を形成した仕切り部の端部ヌおよびリを挟み込むようになるので、係止片１７（１）および１７（２）はきつく係止されることになる。
【００６８】
次に、ウレタン樹脂３、３が貼り付けられた面のある方の側面板を折り曲げて上面板を組立、並びその側面板を係止する方法を説明する。
【００６９】
図５に示したように、今度は前述した係止片１７（１）および１７（２）が係止されている箱体の開口辺を基準にして、面１２（２）、１２（１）および１１を順次前述した上面板１６（２）および１６（１）の上を沿うようにさせながら内方に曲げつつ、面１１を対向する側面１５に当てるようにして係止片１０を面１５に形成した切り欠き窓３４内に差し込むようにして係止させるようにする。
【００７０】
以上のようにして組み立てられた正座椅子を図９に示し、この図を基に正座椅子を説明すると、まず、上部には、尻当て３、３が貼り付けられており、ヒダ部が形成されている二側面側には、図１０、図１１に示したようにヒダ部が互いには個体の内方へ入るように設置されるので面２０（１）’の端部ホが、また、面２０（４）’の端部ヘが、面２５（１）’の端部トが、面２５（４）’が端部チがそれぞれ、上面板から角部付近を外側にはみ出すようになっているので、ちょうどそのはみ出した部分に上面板を載置するのに好都合になっている。
【００７１】
そしてまた、その上面板の下部は、図１３に示したように補強板２の天板が当てられているので、正座した時の尻圧にも充分に強度が増し耐えられるようになっている。
【００７２】
図１４は本発明品の使用状態を示した説明図であり、図１５は完成された図１０、図１１の状態から、二つ折に畳まれた状態を示した説明図である。そして、図１６は完全に二つに畳まれた状態を正面図に示し、図１７にはその状態を底面部から見た図を示し、図１８は二つ折に畳まれた状態で付属している携帯用収納袋内に収納される状態を示したものである。
【００７３】
図１４において、使用者４は正座をする時に、発明品である正座椅子５を図のように両足首間に置いて尻下に敷くようにして座る。このようにして使用した後で使用者４は、この正座椅子のヒダ部が形成されている側面を手前にして、両手でその正座椅子の内側方向に押しつぶすように圧力をかけると、図１７のように側面に形成されているヒダ部は内部方向へ入り込むように動いて、最終的には図１６のように、補強板２を内部に備えたままの状態で二つに折りたたまれるようになる。
【００７４】
つまり、図１７において折り畳み線Ｚから折り畳まれた底面板およびヒダ部から折り畳みされた側面板は、前述した底面板に形成した開放孔３０および３３と切り欠き孔３１および３２内にその折り畳み込まれたせりが挿入されて収納されるようになるので、折り畳んだ部分が箱体の外方へ飛び出すこと無く、その部分が内部に収納されるようになる。
【００７５】
その折り畳みの際に折り畳みされたせりが、箱体の内部に収納される動きを図８を使用して説明すると、まず、図１５のようにヒダ部が形成されている二側面を手前に向け両手で内方向へつぶすように圧力を加えると、その底面板は図８に示した状態に変化する。つまり、箱体の内部方向へ向けられたヒダ部２０（２）および２０（３）は、その側辺に対して線ｆを中心に尖頭状になりつつ略三角形状の面を形成しながら箱体の内部に突出する動きになり、同様にもう一方の側面に形成されたヒダ部２５（２）および２５（３）も、その側辺に対して線ｑを中心に尖頭状になりつつ略三角形状の面を形成しながら箱体の内部に突出する動きになる。そして、この対向しながら箱体の内部に突出したヒダ部は、底面板に形成してある切断線ＬおよびＭを切り裂くようにその中に入りそれぞれ切り欠き孔３１および３２内まで進む。
【００７６】
また、前述したように箱体の内部に突出したヒダ部が、底面板に形成してある切断線ＬおよびＭを切り裂くようにしながらその中に入り進むと同時に、その周面１４（１）、１４（２）、１４（３）、１４（４）、１４（５）、１４（６）は、ほぼ同時に線Ｚを中心に箱体の内部中心の方向にせり上げられるように折れ曲がるようになる。
【００７７】
そのようにして、平たく二つに折られた正座椅子は、図１８に示したようにこの折り畳んだ状態で収納して携帯できる携帯用の袋１が付属しているので、簡単に収納し携帯することができる。
【００７８】
【発明の効果】
以上説明してきたように、本発明の携帯用正座椅子によれば、その構成を段ボール板紙により形成され、方形の四周側面板と、底面板と、上面板とからなる略正方形の箱体であって、四周の側面板の対向する二側面板は内方へ向って折り畳み自在なヒダ部を有し、底面板は上方へ向って折り畳み自在な折り曲げ部を有し、上面板は上方向へ向かって二つ折り自在な折り曲げ線を有し、内部に山形状に二つ折りされた補強板が収納され、該補強板の上端で平坦な状態にある上面板の下面を支持し得るようにしたため、二つに折り畳みができるという効果が得られる。
【００７９】
また、二側面板と前記底面板は、二側面板に形成したヒダ部と、底面板と二側面板との間に形成した切り欠き孔から二つに折り畳まれ、ヒダ部を谷に箱内方に折り曲げた時にその折り曲げられた二側面板と、底面板のせり部をそれぞれ前記切り欠き孔内に互いに折り畳み差し込むようにしたため、底面板のせりと側面板とのせりとが、互いにぶつからないで折り畳むことができるという効果が得られる。
【００８０】
また、切り欠き孔は、箱体を折り曲げた時に前記側面板と前記底面板のせり部を逃がすために形成した開放孔であり、その開放孔に底面板のせりと側面板のせりとを挿入するようにしたため、箱体の外部に飛び出さないで二つに折り畳みができるという効果が得られる。
【００８１】
また、ヒダ部は二側面板と前記底面板との折り曲げ線の中心点に円形状の切り欠き孔を形成し、該切り欠き孔の中心を頂点とした三角形がその二辺を描くように上方へ延びると共に前記中心点から垂線を描くように上方へ延びた破線状に切り込みの入った折り曲げ線としたため、ヒダ部が箱体の内部方向に底面板を二つ折りしながら押し進むことができるという効果が得られる。
【００８２】
また、底面板には破線状に切り込みの入った折り曲げ線を対角線上に形成し、前記開放孔間の中心線上に複数の円形状の切り欠き孔を等間隔に形成し、該孔間にそれぞれ切断線を形成し、前記二側面板上に形成した垂線上のヒダ部をそれぞれ谷にし箱内方へ折り曲げられると共に、二辺状のヒダ部も内方へ曲げつつその曲げられた箇所に作出された略三角形状からなる折曲片を形成し、該折曲片の先端部が前記二つ折りされた補強板間内に挿入されると共に底面板の中心部が対角線上の切り込み線から内方へせり上げられるように、底面板の略中心部が内方へせり上がるようにして二つ折りすることができるという効果が得られる。
【００８３】
また、二側面上であって、少なくとも前記ヒダ部の外側近傍において、高さ方向の辺と略並行な位置に破線状の切り込み線で区切られて作出され、ヒダ部が内方に折り曲げやすいようにした折曲面を形成したため、二つ折りにする力をあまり必要としないので老人や子供にも扱いやすいという効果が得られる。
【００８４】
また、底面板の支持は、前記折曲面を形成した破線状の切り込み線が、前記底面板へそれぞれ折れ線として延長され、該底面板の両側の近傍に略長方形状の幅を有した面を形成し、該面で支持するようにしたため、特別な部材を必要としないで簡単な構造で支持できるという効果が得られる。
【００８５】
また、少なくとも対向する二つの側面板のうち折り畳みヒダ部が形成されていない側面板は、他の側面板から折り返し形成された二重の側壁になり、該二重の側壁と前記底面板との合わせ部に前記補強板の底辺を当接して、上面板からの圧力に対し裾広がりの変形を防止するようにしたため、かなり体重の重い人でも壊れることが無く使用出来るという効果が得られる。
【００８６】
また、補強板はその両側面が台形状をなし、該台形状の短い辺どうしを面で連ねた天板を形成し、他方を前記底面板の辺長と略同じ長さに形成しハの字状に二つ折りして箱体の内部に収納し、天板を前記上面板の下面に突き当てて常に天板が箱体の略中心に位置させるようにしたため、折り込んだ状態から組み立てる度に内部に収納した補強板の位置を確認する必要が無いという効果が得られる。
【００８７】
また、各二重の側壁に対し一方の上面板で各二重の側壁の上部切断面を覆い被せて係止し、他方の上面板で前記一方の上面板の上を沿うようにしつつ一方の上面板を形成した側面板に係止して、それぞれの切断面を保護すると同時に上面板からの圧力に対し折り畳みヒダ部が形成されてない側面板がそれぞれ外側方向に広がるのを防止するようにしたため、長時間使用しても箱体の形状崩れを起こさないという効果が得られる。
【００８８】
また、破線状の切り込み線は、折り曲げ線上にあって、該折り曲げ線の両端より内側に等間隔に形成され、折り曲げ線から折れやすく且つその破断面が開いて折れ曲がった箇所が弱くなるのを防止するようにしたため、何度でも繰り返し使用することができるという効果が得られる。
【００８９】
また、箱体の開口を塞いだ上面板の上にウレタン樹脂板を貼付し尻当てにしたため、長時間使用しても尻が痛くならないという効果が得られる。
【００９０】
また、本体を平たく折り畳んだ状態で収納して携帯できる携帯用の袋が付属し、いつでも簡単に収納し携帯し得るようにしたため、老人や子供が簡単に収納して携帯することができるとう効果が得られる。
【００９１】
また、箱体本体を一枚の段ボール板紙から型抜きして製作するようにしたため、部品点数が少なく製作が簡単になり全体の価格を安価にすることが出来るという効果が得られる。
【図面の簡単な説明】
【図１】本発明の実施例における、携帯用正座椅子の展開平面図である。
【図２】本発明の実施例によるの組立状態を示した説明図である。
【図３】箱体の組立状態を上方から見た図である。
【図４】箱体の組立状態を側面方向から見た図である。
【図５】図３および図４の箱体に補強板を内設し、その上方から側面板を内方へ向かって折り畳むように組立状態を示した図である。
【図６】箱体の二重の側壁の上端部分に作出された係止部に上蓋係止片を挿入する説明図である。
【図７】側部係止窓に上蓋に形成した係止片を挿入する説明図である。
【図８】説明のために補強板を取り除いた図であって、側面板および底面板の組立時の動きを説明した図である。
【図９】本発明品の完成状態を斜視図で示したものである。
【図１０】本発明品の完成状態を斜視図で示したものである。
【図１１】本発明品の完成状態を斜視図で示したものである。
【図１２】本発明の実施例において別部材として使用する補強板の展開状態を示した図である。
【図１３】図１２の補強板をハの字状に二つ折した状態を示した斜視図である。
【図１４】本発明品の使用状態を示した説明図である。
【図１５】完成された状態から二つ折に畳まれる状態を示した説明図である。
【図１６】完全に二つに畳まれた状態を示した図である。
【図１７】図１６の状態を底面部から見た図である。
【図１８】二つ折れに畳まれた状態で携帯用収納袋に収納されている状態を示した図である。
【符号の説明】
１　携帯用の袋
２　　補強板
３　　ウレタン樹脂部材
５　　段ボ−ル板紙
【図１】
2004089422.tif 000003
【図２】
2004089422.tif 000004
【図３】
2004089422.tif 000005
【図４】
2004089422.tif 000006
【図５】
2004089422.tif 000007
【図６】
2004089422.tif 000008
【図７】
2004089422.tif 000009
【図８】
2004089422.tif 000010
【図９】
2004089422.tif 000011
【図１０】
2004089422.tif 000012
【図１１】
2004089422.tif 000013
【図１２】
2004089422.tif 000014
【図１３】
2004089422.tif 000015
【図１４】
2004089422.tif 000016
【図１５】
2004089422.tif 000017
【図１６】
2004089422.tif 000018
【図１７】
2004089422.tif 000019
【図１８】
2004089422.tif 000020